(57)【要約】      （修正有）【課題】正確かつ簡単に発声練習を行うことができる発声補助器具を提供する。【解決手段】唇側開口部３０及び喉側開口部４０を有し、唇側開口部３０から喉側開口部４０に向けて、直径が短くなるように形成されると共に、喉側開口部４０付近では、長手方向における長さが、上側部分２０Ａより下側部分２０Ｂの方が長くなるように形成された器具本体２０と、器具本体２０のうち、唇側開口部３０周辺の上端部付近に、複数の凸部５０Ａ〜５０Ｃを所定の間隔で長手方向に配置するようにして形成されたストッパ部５０と、器具本体２０のうち、唇側開口部３０周辺の下端部付近に、断面が凹型形状に形成された窪み部６０とを備える。【選択図】図１
0003162585.tif 000002
【実用新案登録請求の範囲】
【請求項１】
発声練習者の口腔内に挿入された場合に、唇側に位置する唇側開口部と、喉側に位置する喉側開口部とを有し、前記唇側開口部から前記喉側開口部に向けて、直径が短くなるように形成されると共に、前記喉側開口部付近では、長手方向における長さが、上側部分より下側部分の方が長くなるように形成された器具本体と、
前記器具本体のうち、前記唇側開口部周辺の上端部付近に、複数の凸部を所定の間隔で長手方向に配置するようにして形成されたストッパ部と、
前記器具本体のうち、前記唇側開口部周辺の下端部付近に、断面が凹型形状に形成された窪み部と
を備えることを特徴とする発声補助器具。
【考案の詳細な説明】
【技術分野】
【０００１】
本考案は、発声補助器具に関する。
【背景技術】
【０００２】
従来、発声の練習を補助するために使用される発声補助器具として、種々のものが提案及び開発されている。
【考案の概要】
【考案が解決しようとする課題】
【０００３】
本考案は、発声練習者の口腔内に挿入することにより、口腔内の状態を所望の状態に形成して保持することができ、従って正確かつ簡単に発声練習を行うことができる発声補助器具を提供することを目的とする。
【課題を解決するための手段】
【０００４】
本考案の一態様による発声補助器具は、
発声練習者の口腔内に挿入された場合に、唇側に位置する唇側開口部と、喉側に位置する喉側開口部とを有し、前記唇側開口部から前記喉側開口部に向けて、直径が短くなるように形成されると共に、前記喉側開口部付近では、長手方向における長さが、上側部分より下側部分の方が長くなるように形成された器具本体と、
前記器具本体のうち、前記唇側開口部周辺の上端部付近に、複数の凸部を所定の間隔で長手方向に配置するようにして形成されたストッパ部と、
前記器具本体のうち、前記唇側開口部周辺の下端部付近に、断面が凹型形状に形成された窪み部と
を備える。
【考案の効果】
【０００５】
本考案の発声補助器具によれば、発声練習者の口腔内に挿入することにより、口腔内の状態を所望の状態に形成して保持することができ、従って正確かつ簡単に発声練習を行うことができる。
【図面の簡単な説明】
【０００６】
【図１】本考案の実施の形態による発声補助器具の構成を示す斜視図、正面図、縦断面図及び使用状態図である。
【考案を実施するための形態】
【０００７】
以下、本考案の実施の形態について図面を参照して説明する。
【０００８】
図１に、本考案の実施の形態による発声補助器具１０の構成を示す。
【０００９】
このうち、図１（ａ）は、発声補助器具１０の斜視図を示し、図１（ｂ）は、図１（ａ）中の発声補助器具１０を図中左方向から視認した場合の正面図を示し、図１（ｃ）は、図１（ａ）中のＡ−Ａ’線に沿って切断した場合の縦断面図を示し、図１（ｄ）は、発声補助器具１０を使用する場合の使用状態図を示す。
【００１０】
この発声補助器具１０は、発声練習者の口腔内に挿入され、口腔内の状態を所望の状態に形成して保持するためのものである。
【００１１】
発声練習者は、この発声補助器具１０を口腔内に挿入した状態で、発声練習を行うことにより、発声練習を補助する器具として、発声補助器具１０を使用する。
【００１２】
この発声補助器具１０の器具本体２０は、例えばプラスチックなど、透明でかつ軟らかい合成樹脂材料によって円筒状に形成されている。なお、器具本体２０は、例えばシリコンによって形成されても良く、この場合、所望の色彩を施すようにしても良い。
【００１３】
この器具本体２０は、発声補助器具１０を口腔内に挿入した場合に、唇側に位置する唇側開口部３０と、喉側に位置する喉側開口部４０とを有し、唇側開口部３０から喉側開口部４０に向けて、直径が短くなるように断面が台形状に形成されている。
【００１４】
器具本体２０のうち、唇側開口部３０周辺の上端部付近には、発声補助器具１０を口腔内の所定位置に固定するためのストッパ部５０が形成されている。
【００１５】
このストッパ部５０は、断面が３角波状に形成され、長手方向に沿って、器具本体２０から突出するようにして形成された凸部５０Ａ〜５０Ｃと、隣り合う２つの凸部５０Ａ及び５０Ｂ並びに５０Ｂ及び５０Ｃの間に形成された凹部５０Ｄ及び５０Ｅとを有する。
【００１６】
なお、本実施の形態の場合、凸部５０Ａ〜５０Ｃの形状を、断面が３角形状になるように形成したが、例えば断面が半円柱状になるように形成しても良い。また、凸部を４つ以上形成しても良く、要は、複数の凸部を形成すれば良い。
【００１７】
また、器具本体２０のうち、唇側開口部３０周辺の下端部付近、すなわちストッパ部５０の下方には、下唇と舌を収納するための窪み部６０が、断面凹型形状に形成されている。
【００１８】
これにより、発声補助器具１０を口腔内に挿入する際、下唇と舌とを窪み部６０に容易に収納することができる。
【００１９】
さらに、器具本体２０のうち、喉側開口部４０付近では、長手方向における長さが、上側部分２０Ａより下側部分２０Ｂの方が長くなるように形成されている。
【００２０】
これにより、発声補助器具１０を口腔内に挿入する際、発声補助器具１０が上顎に接触することを防止することができ、また、舌根が立ち上がることを抑制することができる。
【００２１】
この発声補助器具１０を口腔内に挿入する際には、発声練習者の口腔を開けた状態で、下唇と舌とを突き出すようにしながら、発声補助器具１０を喉側開口部４０側から口腔内に挿入する。
【００２２】
そして、ストッパ部５０が有する凹部５０Ｄ及び５０Ｅのうち、所望の凹部と、発声練習者の上前歯７０とを係合させると共に、発声練習者の下唇８０と舌９０とを窪み部６０に収納する。
【００２３】
このように本実施の形態によれば、発声補助器具１０を口腔内の所定位置に固定することができ、従って、口腔内の状態を、喉の奥を広げた所望の状態に形成して保持することができる。これにより、発声練習者は、正確な発声練習を行うことができる。また、発音についての矯正も可能である。
【００２４】
なお、上述の実施の形態においては、器具本体として、器具本体２０を適用した場合について述べたが、本考案はこれに限らず、発声練習者の口腔内に挿入された場合に、唇側に位置する唇側開口部３０と、喉側に位置する喉側開口部４０とを有し、唇側開口部３０から喉側開口部４０に向けて、直径が短くなるように形成されると共に、喉側開口部４０付近では、長手方向における長さが、上側部分２０Ａより下側部分２０Ｂの方が長くなるように形成された他の種々の器具本体を適用するようにしても良い。
【００２５】
また、上述の実施の形態においては、ストッパ部として、ストッパ部５０を適用した場合について述べたが、本考案はこれに限らず、器具本体２０のうち、唇側開口部３０周辺の上端部付近に、複数の凸部５０Ａ〜５０Ｃを所定の間隔で長手方向に配置するようにして形成された他の種々のストッパ部を適用するようにしても良い。
【００２６】
また、上述の実施の形態においては、窪み部として、窪み部６０を適用した場合について述べたが、本考案はこれに限らず、器具本体２０のうち、唇側開口部３０周辺の下端部付近に、断面が凹型形状に形成された他の種々の窪み部６０を適用するようにしても良い。
【符号の説明】
【００２７】
１０  発声補助器具
２０  器具本体
３０  唇側開口部
４０  喉側開口部
５０  ストッパ部
６０  窪み部
【図１】
0003162585.tif 000003